(57)【特許請求の範囲】
【請求項１】
素線が螺旋状に巻かれ、該素線の少なくとも一部が隣接する素線に密着されて成るストラップ係合用のリング部材を、携行品の取付孔に取り付ける際に使用される取付治具において、
前記密着した素線同士の間に差込まれ、該素線同士の間隔を拡げる楔状の差込み部と、
前記差込み部によって素線同士の間隔が拡げられたリング部材が当接され、前記素線の一端が前記取付孔に係合可能に延出した状態で、前記リング部材を位置決めする当接面と、を備え、
前記差込み部には、前記当接面に当接したリング部材が係合される突起が設けられることを特徴とする取付治具。
【発明の詳細な説明】
【０００１】
【発明の属する技術分野】
本発明は取付治具に係り、特にカメラ、双眼鏡、携帯ラジオなどの携行品に設けられた取付孔に、ストラップ係合用のリング部材を取り付けるための取付治具に関する。
【０００２】
【従来の技術】
カメラ、双眼鏡、携帯ラジオなどの携行品は、ストラップ取付用の取付孔を備えており、この取付孔に取り付けられたストラップを介して携行される。携行品の取付孔とストラップは直接取り付けられることが多いが、高級機カメラなどでは、外観上や操作上での高級感を得るため、リング部材を介して取り付けられる。
【０００３】
リング部材は、金属製の素線を螺旋状に複数回巻くことによって形成され、隣接する素線同士は密着されている。このリング部材の取付作業は、まず、密着した素線同士の間に指先などを引っ掛け、素線を弾性変形させることによって素線の端部を隣接する素線から離す。次いで、その端部を携行品の取付孔に挿入し、リング部材を回転させて、素線全体を取付孔に通過させる。通過後は、素線同士が再び密着し、リング部材が取付孔に係合される。このリング部材の取付作業は通常、工場において行われる。
【０００４】
ところで、上記の取付作業を工場で行うと、製造コストが上昇するという問題がある。このため、リング部材は、携行品のユーザーが必要に応じて取り付けることが望まれる。
【０００５】
【発明が解決しようとする課題】
しかしながら、ユーザーがリング部材を取り付ける場合、作業性や安全性に問題がある。例えば、密着した素線同士の間隔を拡げる際に多大な労力を要するという問題がある。また、素線同士の間隔を拡げる際に、指に素線が引っ掛かって怪我をしたり、携行品が傷つくおそれがある。
【０００６】
本発明はこのような事情に鑑みて成されたもので、ストラップを係合させるためのリング部材を携行品の取付孔に安全、且つ簡単に取り付けることのできる軽量、且つ小型の取付治具を提供することを目的とする。
【０００７】
【課題を解決するための手段】
本発明は前記目的を達成するために、素線が螺旋状に巻かれ、該素線の少なくとも一部が隣接する素線に密着されて成るストラップ係合用のリング部材を、携行品の取付孔に取り付ける際に使用される取付治具において、前記密着した素線同士の間に差込まれ、該素線同士の間隔を拡げる楔状の差込み部と、前記差込み部によって素線同士の間隔が拡げられたリング部材が当接され、前記素線の一端が前記取付孔に係合可能に延出した状態で、前記リング部材を位置決めする当接面と、を備え、前記差込み部には、前記当接面に当接したリング部材が係合される突起が設けられることを特徴としている。
【０００８】
本発明によれば、楔状の差込み部をリング部材の素線同士の間に差し込んで、リング部材を当接面に当接させるだけで、素線同士の間隔を簡単に拡げることができ、素線の一端を取付孔に係合させることができる。素線の一端を取付孔に一旦挿入すれば、リング部材を回転させて素線全部を取付孔に通過させるだけでリング部材を取付孔に取り付けることができる。したがって、本発明によれば、リング部材を簡単、且つ安全に携行品に取り付けることができるので、携行品のユーザーによる取付作業が可能になり、携行品の製造コストを減少させることができる。また、リング部材を介して携行品とストラップとを取り付けるので、外観上や操作上の高級感が得られる。さらに本発明によれば、差込み部に突起を設け、当接面に当接したリング部材が突起に係合されるようにしたので、当接面に当接したリング部材が差込み部から脱落することを防止できる。したがって、本発明によれば、リング部材の素線同士の間隔が拡がった状態を保持することができ、素線の端部を携行品の取付孔に簡単に挿入して取り付けることができる。
【０００９】
【発明の実施の形態】
以下添付図面に従って本発明に係る取付治具の好ましい実施の形態について説明する。
【００１０】
まず、本発明に係る取付治具によって取り付けられるリング部材とカメラについて説明する。
【００１１】
図６はカメラ２０を示す平面図である。同図に示すように、カメラ２０は、撮影レンズ部２２、シャッターボタン２４、メインダイヤル２６、表示画面２８、操作ボタン３０を備えており、ケース３２の両側面には、ストラップ取付用のピン３４が水平方向に突設されている。図７に示すように、ピン３４には、ピン３４と直交する方向に取付孔３６が形成されている。リング部材３８は、この取付孔３６に取り付けられる。
【００１２】
リング部材３８は図８に示すように、金属製の一本の素線４０を三角形状に二周弱巻くことによって形成され、隣接する素線４０、４０同士は密着されている。また、素線４０は、素線端部４０Ａと素線端部４０Ｂが平行になるように屈曲部４０Ｄを有している。なお、素線４０は、例えば直径約１ｍｍの円形断面のものが使用され、リング部材３８の三角形の一辺が約１５ｍｍ程度になるように巻回されている。
【００１３】
リング部材３８は、図７に示す如く取付孔３６に取り付けられ、このリング部材３８にストラップ４２が係合される。ストラップ４２は一般に、紐状やベルト状のものを無端状にしたものであり、このストラップ４２を介してカメラ２０が携行される。
【００１４】
なお、図８には、素線４０を略二周巻いたリング部材３８を示したが、素線４０の巻き数はこれに限定されるものではなく、少なくとも一周以上巻かれたもので、隣接する素線４０、４０同士が密着した部分が存在すればよい。また、リング部材３８の形状は、三角形に限定されるものではなく、丸型や四角形型であってもよい。さらに、リング部材３８は、ストラップ４２を取り付けた状態でカメラ２０の取付孔３６に取り付けてもよい。また、リング部材３８の材質は金属に限定されるものではなく、例えばプラスチックなどであってもよい。
【００１５】
本発明に係る取付治具１０は、上記の如く構成されたリング部材３８をカメラ２０の取付孔３６に取り付けるための治具である。
【００１６】
図１は本実施の形態の取付治具１０を示す斜視図であり、図２は同平面図、図３は同正面図を示している。
【００１７】
これらの図に示す取付治具１０はプラスチック製であり、主として差込み部１２と把持部１４とから構成されている。
【００１８】
差込み部１２は、図３に示すように、全体として、左側が鋭角に尖った略楔状に形成されており、テーパ面１２Ａとテーパ面１２Ｂとを備えている。テーパ面１２Ａは、図３の右側から左側にかけて下降するように傾斜しており、テーパ面１２Ｂは、テーパ面１２Ａよりも大きな角度で、屈曲線１２Ｃから差込み先端１２Ｄに向けて傾斜している。すなわち、差込み部１２は、図１に示すように、鋭角に尖った直線状の差込み先端１２Ｄを有し、この差込み先端１２Ｄから屈曲線１２Ｃにかけて徐々に厚さが大きくなるようにテーパ面１２Ｂが形成されるとともに、屈曲線１２Ｃから図３の右方向に徐々に厚さが大きくなるようにテーパ面１２Ａが形成される。
【００１９】
差込み部１２には、図２に示す如く切欠き部１２Ｅが形成されている。切欠き部１２Ｅは、ピン３４の形状に合わせて形成されており、取付作業時に差込み部１２がピン３４に干渉しないようになっている。
【００２０】
一方、把持部１４は、差込み部１２に連設されており、作業者が指で掴みやすい形状に形成されている。すなわち、把持部１４は、図３に示す如く右側が円弧状に大きく形成されるとともに、外周部が中央部よりも厚く形成され、指を掛けやすい形状になっている。
【００２１】
また、把持部１４の外周部は、差込み部１２よりも厚く形成されており、把持部１４と差込み部１２との間には当接面１６が形成されている。当接面１６は、リング部材３８の形状に合わせて形成されており、差込み部１２が差し込まれたリング部材３８が図２の二点鎖線で示す如く当接面１６に当接される。これにより、差込み部１２が差し込まれたリング部材３８が位置決めされる。
【００２２】
図４に示すように、差込み部１２のテーパ面１２Ａには、突起１８が設けられている。突起１８は、略半球状に形成されており、その中心位置はテーパ面１２Ａから０．２ｍｍほど突出されている。リング部材３８の素線４０は、この突起１８を乗り越えて当接面１６に当接する。そして、当接面１６に当接した素線４０は、突起１８に係合される。これにより、リング部材３８が差込み部１２から脱落することが防止される。
【００２３】
次に上記の如く構成された取付治具１０の作用について説明する。
【００２４】
まず、取付治具１０の把持部１４を把持し、差込み部１２の差込み先端１２Ｄを、図８の密着した素線４０、４０同士の間に押し当てる。このとき、図８の矢印方向から押し当てるようにする。そして、差込み部１２を素線４０、４０同士の間に押し込むことによって、図２の二点鎖線で示す如く素線４０を当接面１６に当接させる。これにより、素線４０、４０同士の間隔が拡げられる。また、素線４０が当接面１６に当接することによって、リング部材３８が位置決めされ、素線端部４０Ａが差込み部１２の切欠き部１２Ｅの位置に配置される。これにより、図５に示すように、素線端部４０Ａが、隣接する素線（以下、隣接素線と称す）４０Ｃから離れた状態になる。すなわち、素線端部４０Ａが、取付孔３６に係合可能に延出した状態になる。なお、素線４０が突起１８に係合されるので、リング部材３８はその状態に保持される。
【００２５】
次に、素線端部４０Ａを、図５に示す如くピン３４の取付孔３６に挿入する。このとき、ピン３４は、図２に二点鎖線で示すように、差込み部１２の切欠き部１２Ｅの位置に入り込むので、差込み部１２がピン３４に干渉することがない。次いで、素線端部４０Ａがピン３４の取付孔３６に入った状態を維持しながら、取付治具１０をリング部材３８から抜き取る。
【００２６】
次に、素線４０全部がピン３４の取付孔３６を通過するように、リング部材３８を回転させる。その際、リング部材３８を回転させるだけで、素線４０がピン３４の位置に応じて弾性変形し、ピン３４の位置における素線４０、４０同士の間隔が広がる。したがって、リング部材３８を簡単に回転させて、素線４０全部を取付孔３６に通過させることができる。
【００２７】
素線４０全部が取付孔３６を通過すると、リング部材３８は元の形状に戻るとともに、図７に示す如く取付孔３６に取り付けられる。
【００２８】
このように本実施の形態の取付治具１０によれば、楔状の差込み部１２を備えているので、差込み部１２をリング部材３８に差し込むだけで、素線端部４０Ａと隣接素線４０Ｃとの間隔を拡げることができ、素線端部４０Ａを取付孔３６に挿入することができる。素線端部４０Ａを取付孔３６に一旦挿入すれば、リング部材３８を回転するだけで取付孔３６に係合することができる。したがって、取付治具１０を用いれば、リング部材３８を取付孔３６に簡単、且つ安全に取り付けることができる。これにより、カメラ２０のユーザーによるリング部材３８の取付作業が可能になるので、カメラ２０自体の製造コストを減少させることができる。
【００２９】
また、本実施の形態によれば、テーパ面１２Ａに突起１８を設けて素線４０を係合させるようにしたので、リング部材３８が差込み部１２から脱落することを防止できる。また、素線４０が突起１８に係合されるので、素線端部４０Ａと隣接素線４０Ｃとの間隔が広がった状態を保持することができる。したがって、素線端部４０Ａを取付孔３６に簡単に挿入することができる。
【００３０】
また、取付治具１０には当接面１６が設けられているので、リング部材３８を位置決めした状態で保持することができる。したがって、素線端部４０Ａと隣接素線４０Ｃとの間隔を大きく拡げた状態に保持することができる。これにより、素線端部４０Ａの取付孔３６への挿入作業をより簡単に行うことができる。
【００３１】
さらに、取付治具１０は、簡単な構造であるので、一体成型で製造することができ、生産性に優れている。また、取付治具１０は、リング部材３８と略同じ大きさであればよく、小型である。
【００３２】
なお、上述した実施の形態では、携行品として銀塩のカメラ１０の例で説明したが、ストラップ４２を取り付ける取付孔を有する携行品であればよく、例えばデジタルカメラ、携帯ラジオ、双眼鏡、ポータブル音楽再生機などの携行品への適用が考えられる。
【００３３】
また、携行品の取付孔の形状は上述した実施の形態に限定されるものではない。例えば図９（Ａ）に示すように、携行品の本体４４に、門型状に突出した取付部４６を設けることによって、取付孔４８を形成してもよい。また、図９（Ｂ）に示すように、携行品の本体５０に凹部５０Ａを設け、この凹部５０Ａにピン５２をかけ渡すことによって、取付孔を形成してもよい。
【００３４】
また、取付治具１０の形状は上述した実施の形態に限定されるものではないが、素線４０、４０同士の間に差し込む差込み部１２と、差込み部１２に差し込まれた素線４０が当接する当接面１６を備えていることが好ましい。差込み部１２の形状は、素線４０、４０の間に差し込みやすい楔状であることが好ましく、当接面１６は、リング部材３８の形状に合わせて形成されることが好ましい。また、当接面１６を設ける代わりに、素線４０が入り込んで係合される窪みを、素線４０の形状に合わせてテーパ面１２Ａに形成しておいてもよい。
【００３５】
【発明の効果】
以上説明したように本発明に係る取付治具によれば、楔状の差込み部をリング部材の素線同士の間に差し込んで、リング部材を当接面に当接させるだけで、素線同士の間隔を簡単に拡げることができ、素線の一端を取付孔に係合させることができる。素線の一端を取付孔に一旦挿入すれば、リング部材を回転させて素線全部を取付孔に通過させるだけでリング部材を取付孔に取り付けることができる。したがって、本発明によれば、リング部材を簡単、且つ安全に携行品に取り付けることができるので、携行品のユーザーによる取付作業が可能になり、携行品の製造コストを減少させることができる。また、リング部材を介して携行品とストラップとを取り付けるので、外観上や操作上の高級感が得られる。
【図面の簡単な説明】
【図１】本発明に係る取付治具を示す斜視図
【図２】図１の取付治具を示す平面図
【図３】図１の取付治具を示す正面図
【図４】図２の４−４線に沿う断面図
【図５】取付治具の作用を説明する側面断面図
【図６】本発明で使用されるカメラを示す平面図
【図７】図６に示したカメラの取付孔を示す斜視図
【図８】本発明で使用されるリング部材を示す斜視図
【図９】図７と異なる形状の取付孔を示す斜視図
【符号の説明】
１０…取付治具、１２…差込み部、１４…把持部、１６…当接面、１８…突起、２０…カメラ、２２…撮影レンズ部、２４…シャッターボタン、２６…メインダイヤル、２８…表示画面、３０…操作ボタン、３２…ケース、３４…ピン、３６…取付孔、３８…リング部材、４０…素線、４２…ストラップ
【図１】
0004051612.tif 000002
【図２】
0004051612.tif 000003
【図３】
0004051612.tif 000004
【図４】
0004051612.tif 000005
【図５】
0004051612.tif 000006
【図６】
0004051612.tif 000007
【図７】
0004051612.tif 000008
【図８】
0004051612.tif 000009
【図９】
0004051612.tif 000010